(57)【要約】【課題】  水栓の取付装置の締結具を傾斜させることにより、取付け取外しをカウンター上面から簡単な作業で、行うことができるようにすることができる。【解決手段】  取付孔を備えた取付け部材の表面に当接し、水栓本体を取付け可能な台座と、取付け部材の裏面側に当接する締結具と、台座及び締結具とをボルトを介してナット部材により取付け部材に締め付け固定する締結手段と、ボルトと平行して台座に設けられ、ボルトに対してナットを回転不能とするストッパーとを備えた水栓の取付装置であって、締結具は、ボルト及びストッパーを挿通された状態で、取付孔に傾斜状態で表面側から挿通し、ナット部材の締め付け操作により締結具を上昇させることにより取付け部材の裏面側に締め付け固定させ、ナット部材の締付け解除操作により、締結具を下降させる際に、締結具を傾斜状態に保持する締結具傾斜保持手段をストッパーに設けた。【選択図】  図３
2006328812.tif 000002
【特許請求の範囲】
【請求項１】
取付孔を備えた取付け部材の表面に当接し、水栓本体を取付け可能な台座と、
前記取付け部材の裏面側に当接する締結具と、
前記台座及び前記締結具とをボルトを介してナット部材により前記取付け部材に締め付け固定する締結手段と、
前記ボルトと平行して前記台座に設けられ、前記ボルトに対して前記ナットを回転不能とするストッパーと、を備えた水栓の取付装置であって、
前記締結具は、前記ボルト及び前記ストッパーを挿通された状態で、前記取付孔に傾斜状態で表面側から挿通し、前記ナット部材の締め付け操作により前記締結具を上昇させることにより前記取付け部材の裏面側に締め付け固定させ、前記ナット部材の締付け解除操作により、前記締結具を下降させる際に、前記締結具を傾斜状態に保持する締結具傾斜保持手段を前記ストッパーに設けたことを特徴とする水栓の取付装置。
【請求項２】
前記ストッパは略円筒形状であり、該ストッパーに設けられた前記締結具傾斜保持手段は、前記ストッパーの外径より大きく形成された拡径体であって、該拡径体の外径は、前記締付具が前記ストッパーに挿入されるストッパー挿入孔よりも大きく、前記拡径体は、前記ナット部材の締め付け解除位置よりも、前記台座側に設けたことを特徴とする請求項１記載の水栓の取付装置。
【請求項３】
前記拡径体は略円筒形状を有する弾性体であって、前記弾性体を前記ストッパーに外嵌させ密接状態で設置したことを特徴とする請求項２記載の水栓の取付装置。
【請求項４】
取付孔を備えた取付け部材の表面に当接し、水栓本体を取付け可能な台座と、
前記取付け部材の裏面側に当接する締結具と、
前記台座及び前記締結具とをボルトを介してナット部材により前記取付け部材に締め付け固定する締結手段と、
前記ボルトと平行して前記台座に設けられ、前記ボルトに対して前記ナットを回転不能とするストッパーと、を備えた水栓の取付装置であって、
前記締結具は、前記ボルト及び前記ストッパーを挿通された状態で、前記取付孔に傾斜状態で表面側から挿通し、前記ナット部材の締付け操作により前記締結具を上昇させることにより前記取付け部材の裏面側に締め付け固定させ、前記ナット部材の締付け解除操作により、前記締結具を下降させる際に、前記締結具と傾斜状態にバランスさせるように、前記締結具の左右の重さを異ならせたことを特徴とする水栓の取付装置。
【発明の詳細な説明】
【技術分野】
【０００１】
本発明は、流し台のカウンターや洗面化粧台の洗面器に取付けられる水栓に係り、特に水栓の取付け及び取外し作業を容易に且つ確実に行えるようにした水栓の取付装置に関する発明である。 
【背景技術】
【０００２】
従来の水栓本体の固定方法として、例えばシングルレバー式湯水混合栓の水栓本体を流し台のカウンターに固定する場合、給水管及び給湯管を包み込んだ雄ネジ付きのスリーブをカウンターに設けた取付け口に表側から差し込み、カウンターの裏側からナットをスリーブにねじ込んでカウンターを上下に挟圧して固定する構造が一般的なものである。
【０００３】
このような水栓本体の固定構造では、カウンターの裏側からナットをスリーブにねじ込む際に作業者はカウンターの裏側に潜り込むことになる。このため取付け作業が困難であり、また締め付けを行う際には取付け部表側で水栓本体が回転しないように保持するものと取付け部裏側でナットを締め付けるものとの二人の作業者が必要となっていた。
【０００４】
このような作業の手間を省くために、水栓本体をカウンターの上面側からだけの取扱いで固定できるようにした水栓の取付装置が知られている。例えば、カウンターの取付孔に合わせて配置する固定台座と、カウンターの裏面側に位置させる馬蹄形状の締結具と、固定台座及び締結具とをカウンターの表面側からの操作で締結するボルト及びナットとを備えた水栓の取付装置がある。（例えば、特許文献１参照。）
このような構成の水栓の取付装置は、締結具をカウンターの取付孔に挿し込んでカウンターの裏面側に潜り込ませ、取付孔周りに配置する固定台座をボルト及びナットによって、締結具と締結させるようにすることで、締結具がカウンターの裏面に、固定台座が表面に当たって表裏両面を挟持する。このため、締結手段による締結力をこの挟持力に変換することで、固定台座は締結具と共にカウンターに固定される。
そして、この固定台座に水栓本体を連接固定することで、カウンターの表面側からの操作のみで水栓の固定が可能となる。
【０００５】
しかし、この場合、ボルトおよびナットが一軸のみで構成されており、締結具の略中心に配置されていることから締結具は締付解除状態（例えば、水栓の取付装置をカウンターに取付ける前の状態）では傾斜していない状態である。締付解除状態で締結具が傾斜していないことより、作業者は取付け時に意識して手動で締結具を傾斜させる必要があり、締結具を傾斜させずに取付孔に挿入しようとして取付けられないと誤解してしまうといった問題がある。また、メンテナンスや水栓の取替えの際に水栓の取付装置を取外そうとすると、締付解除状態となって締結具が傾斜していないことよりカウンター上面から容易に取外すことができないという問題点がある。
【０００６】
また、その他の例として、カウンターに設けた取付孔に上部から配置する固定台座と、固定台座の周縁部に設けた一対のボルトと、ボルトの雄ねじ部を挿通する第１長孔を中心から偏心した位置に穿設し、ボルトの下部から螺着したナットとの間で傾斜して保持されカウンターを下部から挟着する締結具と、ボルトと平行して固定台座に固定し、締結具の第１長孔と平行して穿設した第２長孔に挿通するストッパーとにより構成した水栓の取付装置がある。（例えば、特許文献２参照。）
この場合、ボルトを工具により締付けると、ナットがボルトに螺合しながら回転せずに上昇しナットが締結具を押し上げる。これに伴い、締結具が傾斜した状態からカウンターと平行な状態に変化し、締結具がカウンターを下部から挟着することができる。
そして、一方のボルトを固定台座に設けた挿入孔に挿通し、締結具のねじ孔に螺着して水栓の取付装置をカウンターに挟着し、さらに、水栓の取付装置に水栓本体を取付けてカウンターの上面からだけの作業で取付けが可能である。
【０００７】
しかし、上記のように固定台座と締結具とをカウンターに挟着した後、他方のボルトを固定台座に設けた挿入孔に挿通し、締結具のねじ孔に螺着してカウンターに取付けるような方法では、固定台座の挿入穴と締結具のねじ孔の位置が一致しなければ他方のボルトを締結具のねじ孔に螺着させることができない。そのため、作業者にとって非常に高度な作業精度が要求され、取付作業に時間を要するといった問題があった。
【特許文献１】特開平８−９３０１２号公報
【特許文献２】特開２００２−２７５９６４号公報
【発明の開示】
【発明が解決しようとする課題】
【０００８】
本発明は、上記問題を解決するためになされたもので、本発明の課題は、洗面所や流し台への水栓の取付け取外しをカウンター上面から簡単な作業で、短時間かつ確実に行うことができる水栓の取付装置を提供することである。
【課題を解決するための手段】
【０００９】
上記目的を達成するために請求項１記載の発明によれば、取付孔を備えた取付け部材の表面に当接し、水栓本体を取付け可能な台座と、前記取付け部材の裏面側に当接する締結具と、前記台座及び前記締結具とをボルトを介してナット部材により前記取付け部材に締め付け固定する締結手段と、前記ボルトと平行して前記台座に設けられ、前記ボルトに対して前記ナットを回転不能とするストッパーとを備えた水栓の取付装置であって、前記締結具は、前記ボルト及び前記ストッパーを挿通された状態で、前記取付孔に傾斜状態で表面側から挿通し、前記ナット部材の締め付け操作により前記締結具を上昇させることにより前記取付け部材の裏面側に締め付け固定させ、前記ナット部材の締付け解除操作により、前記締結具を下降させる際に、前記締結具を傾斜状態に保持する締結具傾斜保持手段を前記ストッパーに設けたことにより、水栓の取付け取外し、特に取り外しの際は、締結具傾斜保持手段により締結具は傾斜させた状態となるので、作業を容易にすることができる。
【００１０】
また、請求項２によれば、前記ストッパーは略円筒形状であり、該ストッパーに設けられた前記締結具傾斜保持手段は、前記ストッパーの外径より大きく形成された拡径体であって、該拡径体の外径は、前記締付具が前記ストッパーに挿入されるストッパー挿入孔よりも大きく、前記拡径体は、前記ナット部材の締め付け解除位置よりも、前記台座側に設けたことにより、ナット部材の締め付け解除時に確実に締結具を傾斜されることができる。
【００１１】
また、請求項３によれば、前記拡径体は略円筒形状を有する弾性体であって、前記弾性体を前記ストッパーに外嵌させ密接状態で設置したことにより、拡径体を簡素化でき安価な構造にすることができる。
【００１２】
また、請求項４記載の発明のよれば、  取付孔を備えた取付け部材の表面に当接し、水栓本体を取付け可能な台座と、前記取付け部材の裏面側に当接する締結具と、前記台座及び前記締結具とをボルトを介してナット部材により前記取付け部材に締め付け固定する締結手段と、前記ボルトと平行して前記台座に設けられ、前記ボルトに対して前記ナットを回転不能とするストッパーとを備えた水栓の取付装置であって、前記締結具は、前記ボルト及び前記ストッパーを挿通された状態で、前記取付孔に傾斜状態で表面側から挿通し、前記ナット部材の締付け操作により前記締結具を上昇させることにより前記取付け部材の裏面側に締め付け固定させ、前記ナット部材の締付け解除操作により、前記締結具を下降させる際に、前記締結具と傾斜状態にバランスさせるように、前記締結具の左右の重さを異ならせたことにより、水栓の取付装置の構成を簡素化でき、水栓の取付け取外しを容易にすることができる。
【発明の効果】
【００１３】
本発明によれば、洗面所や流し台への水栓の取付け取外しをカウンター上面から簡単な作業で、短時間かつ確実に行うことができる水栓の取付装置を提供することができる。
【発明を実施するための最良の形態】
【００１４】
以下、本発明の第一実施形態を図１、図２に基づいて詳細に説明する。本発明の水栓１００は図１（ａ）に示すように、単一のレバー２の操作により吐水管３から混合水を供給するようにしたもので、水栓本体１の下部には給水源、給湯源（いずれも図示しない）に連通する給水管４、給湯管５をそれぞれ接続している。
【００１５】
水栓本体１を、取付部材である洗面所または流し台のカウンター６に固定するための水栓の取付装置１１は、カウンター６の上部に位置する台座７と、台座７からカウンター６の下部に挿通したボルト８と、ボルト８を通孔しカウンター６を下部から挟着する締結具９、及び締結具９の回転を防止し所定の位置に保持するストッパー１０、ボルト８の下部に設けられる座金２２、蝶ナット１５を備えている。そして、ストッパー１０の下部にはストッパー１０の外径よりも大きな締結具傾斜保持手段としての筒型形状の弾性体１２が取付けられる。
また、図１（ｂ）に示すように、水栓本体１と水栓の取付装置１１は、ねじ１３を用いて固定された後、ねじ１３の六角穴１３ａにキャップ１６を挿入して水栓本体１をカウンター６に取付けている。
【００１６】
図２に示すように、台座７は水栓本体１の下部に開口した空間部（図示しない）に嵌合されるもので、外形が略円筒形で、周縁部７ａにはボルト８を挿通するための挿入孔７ｂを垂直方向に貫通して設けている。また、側部外周には水栓本体１のねじ貫通孔（図示しない）から挿通されるねじ１３を螺着する雌ねじ部７ｃを水平方向に貫通して設け、中央に給水管４と給湯管５を挿通する通孔７ｄを開口している。
【００１７】
図２に示すように、ボルト８は上端部に六角穴８ａが形成されており、縦長でカウンター６の下部に臨ませる雄ねじ部８ｂとからなり、台座７の挿入孔７ｂを介してカウンター６の取付孔１４に挿通する。
【００１８】
図２に示すように、締結具９は、その外形が後述する第一長孔９ｂを中心として略対称的な馬蹄形状をしており、切り欠き部９aには給水管４、給湯管５が挿通できるようになっている。締結具９の中心にはボルト８が余裕を持って通過できる第一長孔９ｂがあり、第一長孔９ｂに隣接して同一方向にストッパー１０が余裕をもって通過できるストッパー挿入孔としての第二長孔９ｃが穿設されている。
【００１９】
ストッパー１０は金属製の棒部材で、ボルト８と平行方向に隣接して台座７の下面部（図示しない）に固定される。
【００２０】
ストッパー１０に取付けられる締結具傾斜保持手段としての弾性体１２は、ストッパー１０の外径より大きく形成された拡径体であって、ゴムまたは軟質の樹脂材料で成形された筒型状の部材で、その内部はストッパー１０が挿通されるための貫通孔（図示しない）が設けられ、内径はストッパー１０の外径よりも若干小さく、また、弾性体１２の外径はストッパー１０の外径及び締結具９の第二長孔９ｃよりも大きく形成されている。
【００２１】
本発明の第一実施形態における水栓の取付装置１１の組立方法は、まず台座７の挿入孔７ｂにボルト８の雄ねじ部８ｂを挿通し、雄ねじ部８ｂの下部を締結具９の第一長孔９ｂに挿通して、下端から蝶ナット１５を螺合し、さらにストッパー１０の下部を第二長孔９ｃに挿通する。この時、図３に示すように、蝶ナット１５の羽部１５aがストッパー１０に干渉し左右に回転できないようにする。
また、ストッパー１０の下部には、ストッパー１０より外径の大きい筒型形状の弾性体１２を装着する。よって、筒型形状の弾性体１２により締結具９は傾斜した状態で保持された状態となる。（図３の状態）
尚、ストッパー１０に干渉する部材としては、蝶ナット１５に限定されるものではなく、図４に示すような突起１７ａを有するナット１７であっても同様の作用となる。
【００２２】
続いて、水栓の取付装置１１のカウンター６への取付け方法について説明する。水栓の取付装置１１は締付解除状態（図３の状態）では、締結具９が傾斜した状態で保持されている。図３の状態で水栓の取付装置１１を締結具９の傾斜端部９ｄからカウンター６の取付孔１４に挿通させ、カウンター６の下方に臨ませる。
【００２３】
続いて、ボルト８の六角穴８ａに六角レンチ（図示しない）により締め付け方向に操作すると、蝶ナット１５の羽部１５ａがストッパー１０に干渉しボルト８に螺着しながら回転しないまま上昇し、蝶ナット１５が締結具９を押し上げ、締結具９は上昇するにつれて傾斜した状態からカウンター６と平行となるように姿勢が変化し、最終的に締結具９によりカウンター６の下部から挟着することができる。（図５）
尚、この時締結具９はボルト８とストッパー１０の２点で台座７と連繁しているので、回転することなく上昇する。したがって、締結具９の切り欠き部９ａは給水管４、給湯管５が挿通できる所定の位置にすることができる。
従って、水栓の取付装置１１は台座７と締結具９によりカウンター６を上下から挟着することでカウンター６に装着される。
また、締結具９は、その外形が第一長孔９ｂを中心として略対称的な馬蹄形状をしていることから、締結具９の第一長孔９ｂは、締結具９の略中心の位置にあり、第二のボルトを台座７に挿入し、締め付けることは不要である。
【００２４】
さらに、台座７の上から水栓本体１の下端空間部（図示しない）を嵌着し、給水管４および給湯管５を取付孔１４に挿通する。その後、台座７の雌ねじ部７ｃと水栓本体１の貫通孔１ａを向かい合わせて一致させ、ねじ１３を六角レンチ（図示しない）により螺着すれば水栓本体１を水栓の取付装置１１に固定することができる。水栓本体１を固定後は、ねじ１３の六角穴１３ａを隠すためにキャップ１６を六角穴１３ａに挿入する。このように水栓本体１と水栓の取付装置１１はカウンター６の上部からだけの作業で取付け可能である。
【００２５】
水栓の取付装置１１を取外す場合は取付け時の逆の手順で行う。まず、水栓本体１と水栓の取付装置１１を固定している部分のキャップ１６をはずし、ねじ１３を六角レンチにて取外す。ねじ１３の取外し後、水栓本体１と水栓の取付装置１１は固定されていないことから水栓本体１をカウンター６の上面から引き抜き、カウンター６には水栓の取付装置１１のみが固定された状態とする。
【００２６】
続いてボルト８の六角穴８ａに六角レンチにより緩み方向に操作すると、蝶ナット１５の羽部１５ａがストッパー１０に干渉しボルト８に螺着しながら回転して下降する。蝶ナット１５が下降することにより締結具９の押し上げるものがなくなることから締結具９も下降する。締結具が下降し、ナット１５の締め付け解除位置よりも、台座７側に設けた弾性体１２により、図３のように締結具９が筒型形状の弾性体１２に引っ掛かり傾斜した状態のまま保持される。
【００２７】
締結具９が傾斜した状態で保持されていることより、カウンター６の上面から水栓の取付装置１１の台座７を引き抜くことにより取付孔１４に干渉する部分がないことから水栓の取付装置１１をカウンター６から取外すことができる。このように水栓本体１と水栓の取付装置１１はカウンター６の上部からだけの作業で取外しも可能である。
尚、ストッパー１０に取付けられる締結具傾斜保持手段としての弾性体１２について説明したが、締結具傾斜保持手段はこれに限定されることなく、図６に示すようなストッパー１０の外径より大きく形成された拡径体２０をストッパー１０に一体形成または螺合等で接続し別体に設けても同様の効果が得られる。尚、拡径体２０の外径は、弾性体１２と同様に、ストッパー１０が挿入される締結具９の第二長孔９ｃよりも大きく形成されている。
【００２８】
次に、本発明の第二実施形態における水栓の取付装置を図に基づいて詳細に説明する。第二実施形態の水栓の取付装置と第一実施形態の水栓の取付装置とで異なる点は、ストッパーに締結具傾斜保持手段を設けず締結具の形態を変更することで締結具を傾斜させた状態を保持する点であり、その他については同様である。
【００２９】
第二実施形態の水栓の取付装置３１に用いる締結具１９は図７に示すようにその外形が後述する第一長孔１９ｂを中心として非対称な馬蹄形状をしており左右の重さが異なった形状となっている。切り欠き部１９ａには給水管４、給湯管５が挿通できるようになっている。締結具１９の中心には第一実施形態と同様にボルト８が余裕を持って通過できる第一長孔１９ｂがあり、第一長孔１９ｂに隣接して同一方向にストッパー１８が余裕をもって通過できる第二長孔１９ｃが穿設されている。
【００３０】
本発明の第二実施形態における水栓の取付装置３１の組立方法は、まず台座７の挿入孔７ｂにボルト８の雄ねじ部８ｂを挿通し、雄ねじ部８ｂの下部を締結具１９の第一長孔１９ｂに挿通して、下端から座金２２を介し蝶ナット１５を螺合し、さらにストッパー１８の下部を第二長孔１９ｃに挿通する。この時、図８に示すように、蝶ナット１５の羽部１５ａがストッパー１８に干渉し左右に回転できないようにする。また、締結具１９はその外形が第一長孔１９ｂを中心として非対称な馬蹄形状をしており、拘束されていない状態では左右の重さが異なるため蝶ナット１５を支点として傾斜して保持されている。
【００３１】
続いて、水栓の取付装置３１のカウンター６への取付け方法について説明する。水栓の取付装置３１は締付解除状態（図８に示した状態）では、締結具１９が傾斜した状態で保持されており、第一実施形態と同様の方法で水栓の取付装置３１を締結具１９の傾斜端部１９ｄからカウンター６の取付孔１４に挿通させ、カウンター６の下方に臨ませる。（図８）
そして、第一実施形態と同様の作業を行なうことにより水栓の取付装置３１がカウンター６に装着され、水栓本体１をカウンター６の上部からの作業のみで取付けることができる。また、水栓の取付装置３１を取外す場合も第一実施形態と同様の作業を行なうことにより、作業を容易に行なうことができる。
【図面の簡単な説明】
【００３２】
【図１】本発明における水栓をカウンターに取付けた状態を示した断面図である。
【図２】本発明の第一実施形態における水栓の取付装置の構成部品を示した分解斜視図である。
【図３】本発明の第一実施形態における水栓の取付装置の組立状態を示した斜視図である。
【図４】本発明の第一実施形態における水栓の取付装置で他の実施例を示した斜視図である。
【図５】本発明の第一実施形態における水栓の取付装置をカウンターに取付けた状態を示した斜視図である。
【図６】本発明の第一実施形態における水栓の取付装置で締結具傾斜手段に拡径体を用いたときの水栓の取付装置の組立状態を示した斜視図である。
【図７】本発明の第二実施形態における水栓の取付装置の構成部品を示した分解斜視図である。
【図８】本発明の第二実施形態における水栓の取付装置の組立状態を示した斜視図である。
【図９】本発明の第二実施形態における水栓の取付装置をカウンターに取付けた状態を示した斜視図である。
【符号の説明】
【００３３】
１…水栓本体
２…レバー
３…吐水管
４…給水管
５…給湯管
６…カウンター
７…台座
８…ボルト
９…締結具（第一実施形態）
１０…ストッパー（第一実施形態）
１１…水栓の取付装置
１２…弾性体
１３…ねじ
１４…取付孔
１５…蝶ナット
１６…キャップ
１７…ナット
１８…ストッパー（第二実施形態）
１９…締結具（第二実施形態）
２０…拡径体
２２…座金
３１…水栓の取付装置（第二実施形態）
１００…水栓
【図１】
2006328812.tif 000003
【図２】
2006328812.tif 000004
【図３】
2006328812.tif 000005
【図４】
2006328812.tif 000006
【図５】
2006328812.tif 000007
【図６】
2006328812.tif 000008
【図７】
2006328812.tif 000009
【図８】
2006328812.tif 000010
【図９】
2006328812.tif 000011